(57)【特許請求の範囲】
【請求項１】
地中に埋設されて災害用備品を収納する地下防災倉庫において、該地下防災倉庫を上下に複数に分割されたマンホール躯体で相互に結合して組立式倉庫を構成し、前記組立式倉庫を構成するマンホール躯体の内壁に結露防止用発泡断熱材を吹き付け、地下防災倉庫内に防災備品を収納するボックスを設置するようにし、前記組立式倉庫の最下位の躯体の底部外面に複数の略半円球状の耐震用突起を底部の中心より均等に配置したことを特徴とする組立式地下防災倉庫。
【請求項２】
地中に埋設されて災害用備品を収納する地下防災倉庫において、該地下防災倉庫を上下に複数に分割されたマンホール躯体で相互に結合して組立式倉庫を構成し、前記組立式倉庫を構成するマンホール躯体の内壁に結露防止用発泡断熱材を吹き付け、地下防災倉庫内に防災備品を収納するボックスを設置するようにし、前記組立式倉庫の最下位の躯体の底部外面の中心部に耐震用固定ピンを突出形成したことを特徴とする組立式地下防災倉庫。
【請求項３】
災害時に前記組立式倉庫をトイレ用タンクとして使用するようにしたことを特徴とする請求項１、又は請求項２に記載の組立式地下防災倉庫。
【発明の詳細な説明】
【０００１】
【発明の属する技術分野】
この発明は、地中に埋設されて災害用備品等を収納する地下防災倉庫に関するものである。
【０００２】
【従来の技術】
従来，地中に埋設されて災害用備品等を収納する地下防災倉庫としてハウスとハウスの下に地下倉庫を設け、該倉庫に防災備品等を収納し且つ電源装置を備えたものがある（例えば、特許文献１参照。）。
【０００３】
【特許文献１】
特開平１１−７１９３９号公報（第３図から第５図）
【０００４】
【発明が解決しようとする課題】
ところで、上記従来のものでは、地下倉庫は躯体が一体構成であるので倉庫施工の作業が面倒であると共に、基礎部との間に格別の抵抗部材を施すことなく平滑な躯体底部としているため長期使用により倉庫が変形，沈下等する可能性があり安全，確実に災害用備品等を保管することができない虞がある、という問題がある。
【０００５】
この発明は、従来の技術の有するこのような問題点に鑑みてなされたものであり、その目的とするところは、倉庫の施工が簡単容易であると共に、多種の災害用備品等を確実に保管し、長期保管も可能とする組立式地下防災倉庫を提供しようとするものである。
【０００６】
また、耐震性にも優れた安全で、安定して設置できる組立式地下防災倉庫を提供しようとするものである。
【０００７】
また、災害時には別の用途としても利用できる組立式地下防災倉庫を提供しようとするものである。
【０００８】
【課題を解決するための手段】
上記目的を達成するために、この発明における組立式地下防災倉庫は、地中に埋設されて災害用備品等を収納するものにおいて、地下防災倉庫を上下に複数に分割された収納躯体で相互に結合して組立式倉庫を構成し、前記収納躯体の内壁に結露防止用発泡断熱材を吹き付け、地下防災倉庫内に防災備品等を収納するボックスを設置するようにしたことを特徴とするものである。
【０００９】
また、前記組立式倉庫の最下位の躯体の底部外面に複数の突起を底部の中心より均等に配置したことを特徴とするものである。
【００１０】
また、前記組立式倉庫の最下位の躯体の底部外面の中心部に固定ピンを突出形成したことを特徴とするものである。
【００１１】
また、災害時に前記組立式倉庫をトイレ用タンクとして使用するようにしたことを特徴とするものである。
【００１２】
【発明の実施の形態】
図１ないし図５は本発明に係る組立式地下防災倉庫の実施例に関するものであり、図１はこの発明の一つの実施例に係る組立式地下防災倉庫の斜視説明図、図２は組立式倉庫の最下位の躯体の裏面図、図３は図２のＡ−Ａ断面図、図４はこの発明の他の実施例に係る組立式地下防災倉庫の断面説明図、図５は更にこの発明の他の実施例に係る組立式地下防災倉庫の斜視説明図である。
【００１３】
図１において、１は組立式地下防災倉庫であり、該倉庫１は上下に複数に分割された収納躯体２，２，…が相互に結合して構成され、倉庫１全体の形状は例えば四角形，円錐体、円球状等多種の形状が可能であり、地中３に埋設されている。
【００１４】
前記収納躯体２は、例えばコンクリート躯体，合成樹脂マンホール躯体，強化ＦＲＰ等の多種の材質のものが使用可能であり、収納躯体２最上位には蓋４を受ける蓋受躯体５が結合され、収納躯体２最下位には底部外面が弧状の躯体６が結合されている。
なお、収納躯体２，２，…は上下に複数に分割されたものであるが、例えば合成樹脂分割マンホール躯体のように、さらに各収納躯体２が周方向に複数に分割することも可能である。
【００１５】
前記蓋４は、蓋４の外周と蓋受躯体５との間にウレタンパッキンが配置された完全防水型のものであり、さらに蓋４の裏面に多数のウレタン材を配置して防熱性のすぐれたものを使用することも可能である。
なお、蓋４も躯体同様に例えばコンクリート，合成樹脂，強化ＦＲＰ等の多種の材質のものが可能である。
【００１６】
７は例えば組立式棚，キャビネット等の防災具収納組立ボックスであり、該ボックス７内にはいわゆる防災七つ道具と称されるような災害用備品等８が保管されて、倉庫１内に設置されている。
【００１７】
前記災害用備品等８としては、備品としてスコップ，発電機，風力発電機，ソーラー発電機，バッテリー発電機，つるはし，斧，ウインチ，油圧ジャッキ，ダルマジャッキ，油圧カッター，電動カッター，ノコギリ等で、食品として乾パン，缶詰等で、その他にガソリン，組立式トイレハウス，組立式マンホール便座等が挙げられる。そして、これらの災害用備品等８は、各々に油・錆止めコーティングし真空パックされている。
【００１８】
そして、前記収納躯体２，２，…の内壁全面には結露防止用の発泡断熱材９が吹き付けられていて（図においては、一部拡大して表示する。）、収納されている前記災害用備品等８の劣化を防止している。
【００１９】
以上のような構成からなる組立式地下防災倉庫は、震災に備えて例えば避難場所指定地及び公園敷地内などの車道以外の場所の地中３に該組立式地下防災倉庫１を設置する。その際、該倉庫１は上下に複数に分割された収納躯体２，２，…を相互に結合する組立式であるので、倉庫１の施工が簡単容易である。
【００２０】
しかも組立式地下防災倉庫１内は、防湿，防水性を高めていると共に防災具収納組立ボックス７を設置し災害用備品等８を整理して格納しているので、災害用備品等８は長期に，確実に保管することができる。
【００２１】
そして災害発生時には、蓋４を開けて足掛具１０等を利用して倉庫１内に入り、容易に災害用備品等８を取り出せる。この際、災害用備品等８が長期に保管されたものであっても、光に当たらず、また個々に油・錆止めコーティングし真空パックされているので災害用備品等８を使用して作業をするのに支障をきたすことはない。
【００２２】
また、図２ないし図４に示すように、前記組立式倉庫１の最下位の躯体６の底部外面に複数の突起１１，１１，…が底部の中心より均等に配置されている。若しくは、組立式倉庫１の最下位の躯体６の底部外面の中心部に固定ピン１２が突出形成されている。
なお、図２及び図３では略半円球の形状の四個の突起１１を例示したが、その数は自由である。
【００２３】
このように組立式倉庫１の最下位の躯体６の底部外面に前記複数の突起１１，１１，…若しくは固定ピン１２を設けたことにより、耐震性に優れ且つ最下位の躯体６がズレ防止を確実に実行し、該組立式倉庫１はより安定して設置される。
【００２４】
また、図４は組立式地下防災倉庫の他の実施例に関するものであり、前記上下に複数に分割されたマンホール躯体である収納躯体２，２，…を四角形にして、収納スペースを広げたものである。前記足掛具１０に代えて梯子１３を使用し、蓋４に換気通風筒１４を取り付けられるようにする等以外は上述の実施例と実質上同一であるので同一の符号を付してその説明は省略する。
【００２５】
また、図５は更に組立式地下防災倉庫の他の実施例に関するものであり、災害時に災害用備品等８を取り出した後は、前記組立式倉庫１をトイレ用タンク１５として利用して災害用仮設トイレとする。この場合、災害用備品等８である組立式マンホール便座１６を前記蓋４に代えて取り付け、組立トイレハウスを建てることにより簡単に緊急用のトイレが完成する。さらにソーラー，風力発電機を使用して電球，換気扇等を取り付ければ長期使用可能な災害用仮設トイレとなる。
【００２６】
【発明の効果】
本発明は、倉庫の施工が簡単容易であると共に、多種の災害用備品等を確実に保管し、長期保管も可能とする組立式地下防災倉庫となる。
【００２７】
また、請求項２又は請求項３においては、耐震性に優れた安全で、安定して設置できる組立式地下防災倉庫となる。
【００２８】
さらに、請求項４においては、災害時には別の用途としても利用できる組立式地下防災倉庫となる。
【図面の簡単な説明】
【図１】図１はこの発明の一つの実施例に係る組立式地下防災倉庫の斜視説明図である。
【図２】図２は組立式倉庫の最下位の躯体の裏面図である。
【図３】図３は図２のＡ−Ａ断面図である。
【図４】図４はこの発明の他の実施例に係る組立式地下防災倉庫の断面説明図である。
【図５】図５は更にこの発明の他の実施例に係る組立式地下防災倉庫の斜視説明図である。
【符号の説明】
１                組立式地下防災倉庫
２                収納躯体
３                地中
６                最下位の躯体
７                ボックス
８                災害用備品等
９                発泡断熱材
１１              突起
１２              固定ピン
１５              トイレ用タンク
【図１】
0003703139.tif 000002
【図２】
0003703139.tif 000003
【図３】
0003703139.tif 000004
【図４】
0003703139.tif 000005
【図５】
0003703139.tif 000006